(57)【特許請求の範囲】
【請求項１】
２つ以上の異なるサイズの使い捨て吸収性物品を含むパッケージの群であって、前記群が、
第１の使い捨て吸収性物品を含む第１のパッケージであって、前記第１の吸収性物品が第１のトップシート、第１のバックシート、第１の吸収性コア及び第１の対のサイドシームを含み、前記第１の吸収性物品が第１のサイズかつ閉鎖形態である、第１のパッケージと、
第２の使い捨て吸収性物品を含む第２のパッケージであって、前記第２の吸収性物品が第２のトップシート、第２のバックシート、第２の吸収性コア及び第２の対のサイドシームを含み、前記第２の吸収性物品が第２のサイズかつ閉鎖形態である、第２のパッケージと、を含み、
前記第１のパッケージ及び前記第２のパッケージは、小売店の所定の領域内で互いに近位に配置されており、
前記第２のサイズが、前記第１のサイズより大きく、
前記第２の吸収性物品が、
（ａ）前記第１の吸収性物品より大きい弛緩した製品側面長さ（３０３）と、
（ｂ）前記第１の吸収性物品より大きい弛緩した製品臀部幅（３０１）と、のうちの１つ以上を有し、
前記第２の吸収性物品の側面輪郭に対する製品臀部の比が、前記第１の吸収性物品の側面輪郭に対する製品臀部の比以上であり、
前記第１のパッケージ及び前記第２のパッケージが同一の製品名を有する、パッケージの群。
【請求項２】
２つ以上の異なるサイズの使い捨て吸収性物品を含むパッケージの群であって、前記群が、
第１の使い捨て吸収性物品を含む第１のパッケージであって、前記第１の吸収性物品が第１のトップシート、第１のバックシート、第１の吸収性コア及び第１の対のサイドシームを含み、前記第１の吸収性物品が第１のサイズかつ閉鎖形態である、第１のパッケージと、
第２の使い捨て吸収性物品を含む第２のパッケージであって、前記第２の吸収性物品が第２のトップシート、第２のバックシート、第２の吸収性コア及び第２の対のサイドシームを含み、前記第２の吸収性物品が第２のサイズかつ閉鎖形態である、第２のパッケージと、を含み、
前記第１のパッケージ及び前記第２のパッケージは、小売店の所定の領域内で互いに近位に配置されており、
前記第１のサイズと前記第２のサイズが異なり、
前記第１のパッケージ及び前記第２のパッケージの、側面輪郭に対する製品臀部の比の平均が、２．２〜６．０であって、
前記第１のパッケージ及び前記第２のパッケージが同一の製品名を有する、パッケージの群。
【請求項３】
前記群が、第３の使い捨て吸収性物品を含む第３のパッケージを更に含み、
前記第１のパッケージ、前記第２のパッケージ及び前記第３のパッケージは、小売店の所定の領域内で互いに近位に配置されており、
前記第３の吸収性物品が、
（ａ）前記第１の吸収性物品より大きい弛緩した製品側面長さ（３０３）と、
（ｂ）前記第１の吸収性物品より大きい弛緩した製品臀部幅（３０１）と、のうちの１つ以上を有し、
前記第３の吸収性物品の側面輪郭に対する製品臀部の比が、前記第１の吸収性物品及び前記第２の吸収性物品のうちの少なくとも１つの側面輪郭に対する製品臀部の比以上である、請求項１に記載のパッケージの群。
【請求項４】
前記第１のトップシートと前記第２のトップシートとが化学組成に関して同一であり、
前記第１のバックシートと前記第２のバックシートとが化学組成に関して同一であり、
前記第１の吸収性コアと前記第２の吸収性コアとが化学組成に関して同一である、請求項１〜３のいずれか一項に記載のパッケージの群。
【請求項５】
前記第１の対のサイドシーム及び前記第２の対のサイドシームのうち少なくとも１つが、再締結可能に係合している、請求項１〜４のいずれか一項に記載のパッケージの群。
【請求項６】
前記第３のパッケージの側面輪郭に対する製品臀部の比が、前記第１の吸収性物品及び前記第２の吸収性物品のそれぞれの側面輪郭に対する製品臀部の比より大きい、請求項３に記載のパッケージの群。
【請求項７】
前記第３のパッケージの側面輪郭に対する製品臀部の比が、前記第１の吸収性物品の側面輪郭に対する製品臀部の比より大きいが、前記第２の吸収性物品よりは小さい、請求項３に記載のパッケージの群。
【発明の詳細な説明】
【技術分野】
【０００１】
本開示は、異なる成人の身体サイズ、形状及びタイプに適合するように設計されていて、したがって成人消費者の幅広い範囲に適合するようにサイズ設定されている、使い捨て吸収性物品及び使い捨て吸収性物品の群に関する。
【背景技術】
【０００２】
臀部周囲及び側面長さを、図１に示す。側面長さに対する臀部周囲の関係（側面長さに対する臀部周囲の比）は、図２に示されるように、物品の弛緩した側面長さが過度に長かったり又は過度に短かったりしないことを確実にするための、重要な製品設計のパラメータである。物品の過度の弛緩した側面長さは、衣類の表面上に現れる材料をもたらす可能性があり、結果として製品の腰部縁部の不適切な配置になることがあり得て、また、物品の短か過ぎる弛緩した側面は、小さ過ぎる被覆及び製品の隙間、並びに腰部縁部の不適切な配置をもたらす可能性があり、そのすべては性能及び行動の自由に悪影響を及ぼし得る。適切な側面長さは、着用者の臀部又は腰部での製品の適切な位置を確実にする。臀部周囲測定は、臀部の突出点との関係の理由から、それが多くの場合胴体周りの最大円周に相当するので、吸収性物品の主要な基準点を一般に確定する。このことは、より円筒状体形又はよりリンゴ状体形を有する女性に、特に当てはまる。代替的実施形態では、腰部周囲の測定は、特により砂時計体形又はより洋梨状体形を有する女性に関して、胴体周りの最小円周を表すことができるので、吸収性物品の主要な基準点であり得る。これは最小円周での適合性に相関するものであり、最少円周は製品の円周を意味し、その結果、臀部で増加した胴体寸法の理由から、腰部における力が増加して、滑る又は垂れることにならざるを得ない。
【０００３】
臀部幅及び側面長さを、図３に示す。側面輪郭に対する胴体臀部の比は、図４及び図５に示すように、側面長さに対する臀部周囲の比と関連しており、ＢＭＩ及び腰部周囲が増加するにつれて、両方の値も増加する。これを、図２、図４及び図５に示す。
【０００４】
臀部周囲が、ＢＭＩ及び腰部周囲と共に増加すると、側面長さに対する臀部周囲の比、及び側面輪郭に対する胴体臀部の比の両方とも増加する。側面輪郭に対する胴体臀部の比のそれにより近く、かつＢＭＩ及び腰部周囲に応じて変化するように設計される、側面輪郭に対する製品臀部の比を有することの主な利点は、製品自体が胴部の形状により密接に適合するということである。これにより、現在の市販製品で示すようにより大きい範囲に適合するように一般的に設計されているものより、着用中、著しくより小さい程度に変形している製品がもたらされる。更に製品の適合性も得られて、体形に合わせてより調整されて、より有効な漏れ防止、並びにより良好な被覆及び行動の自由を提供する。事実、多くの現在の市販製品は、４５キログラム（１００ポンド）と同じ増分に適合するように設計されており、したがってすべての範囲にわたる、適切な適合性、漏れ防止、快適さ及び行動の自由を提供しない。そのうえ、側面輪郭に対する製品臀部の比が消費者の側面輪郭に対する胴体臀部の比とより類似するにつれて、身体の一般的形状を模倣する製品デザインは、消費者により良好な、より調整された適合性をもたらす。本開示により可能なデザインは、設計によってより目標として設定されており、すなわち製品は着用者の腰部及び臀部に関して適切に配置されて、したがってより高いレベルの適合性、漏れ防止、快適さ及び行動の自由を提供する。
【０００５】
本開示の成人失禁用（「ＡＩ」）吸収性物品は、ヒトの身体からの液体及び他の排泄物を吸収かつ収容して、身体及び衣服が汚れることを防止するために使用される。尿失禁を患う成人について、排尿は、２つの一般的なタイプ、腹圧性尿失禁（「ＳＵＩ」）及び尿失禁（「ＵＵＩ」）からなる。ＳＵＩは、咳、くしゃみ、笑い、曲げなどにより誘導される膀胱上の高圧に起因しており、ＵＵＩで伴うより少ない尿量であるが高流速をもたらすことがあり得る。ＵＵＩは、ＳＵＩで伴うより低流速であるが、充満した膀胱の解放をもたらすことがあり得る。
【０００６】
成人失禁用物品は、２つ、３つ及び４つのサイズ群を含む、それぞれが複数のサイズで通常入手可能な多様な設計になっている。従来技術の物品のサイズは通常、例えば腰部開口部のサイズ、大腿部周りの開口部のサイズ、及び物品の長さ又は「ピッチ」に影響を及ぼす。多くのこれらの従来技術の物品は、４５キログラム（１００ポンド）までの範囲に適合するように設計されている。従来技術の物品は通常、腰部周囲の寸法によってサイズ設定かつ販売されている。種々のサイズは、３０センチメートル（１２インチ）と同じ腰部周囲範囲、及び場合によっては最大４１センチメートル（１６インチ）までの範囲を有することができる。種々のサイズに関連する大きな範囲が与えられて、着用者の腰部周囲寸法を基準にした適切なサイズである従来技術の成人失禁用物品を、消費者が選択する場合、例えば物品の大腿部開口部又はピッチが、着用者への適切な装着には大き過ぎる、滑り落ちる、横滑りする、弛む、垂れ下がる、又は漏出を防止するために設計されるガスケット効果の喪失をもたらす可能性がある。あるいは着用者が大きなサイズ範囲内にいる場合、物品の大腿開口部又はピッチは、好適な適合性には小さ過ぎる可能性があり、場合によっては、着用者の不快感、着用者の皮膚への痕、又は着用者への物品の不適切な適用若しくは位置決めをもたらす。
【０００７】
望ましくは、成人用吸収性物品は、着用者の身体との接触を維持し、可能な限りぴったり合うように、設計かつサイズ設定されなければならない。尿などが着用者の身体に沿って広がる又は移動して、成人用吸収性物品に吸収されるよりもそれから漏れるという可能性を減らすことによって、前記の身体に適合する設計は、成人用吸収性物品の効果を増加させることができる。しかし、販売中の現在の成人用吸収性物品は、体形又は製品形状を適切に対処しておらず、したがって広範囲の使用者に適切に適合していない又は緊密な適合性の所望の水準を提供していない。通常成人用吸収性物品のＡＩパッケージには、パッケージ化された物品が適合することが意図される、推奨される装着者の腰部周囲範囲が表示されている。これによって腰部周囲は多くの場合、ＡＩ物品のサイズを特定するために使用される唯一の基準である。腰部サイズはそれ自体、個人の体形を的確に説明せず、したがって、物品の適切な装着、快適さ、被覆及び漏れ防止を提供するために必要とされ得る臀部周囲若しくは大腿部周囲又はピッチを画定することを補助しない。潜在的な着用者の他の特徴及び人体測定の特性（例えば、年齢、身長、体重、大腿部周囲、及び高さ）が、推奨される腰部周囲範囲内で広く異なり得、着用者の腰部周囲がその範囲内であっても、体に合わない物品をもたらし得るにも関わらず、これは事実である。種々の着用者の体形及びサイズによく適合する、成人用吸収性物品が必要とされている。女性には広範囲の体形状及びサイズがある一方、利用可能な製品はこの広範囲を反映しておらず、むしろ所定の製品群内で今日利用可能な吸収性物品は、互いの縮小したバージョンである傾向があって、消費者の範囲にわたる体形及び寸法変化の自然の動向に追従さえしておらず、すなわち体形が変化する女性同様、より大きな女性にとってはより小さい。
【発明の概要】
【発明が解決しようとする課題】
【０００８】
肥満指数（ＢＭＩ）は、男性と女性の両方で全体的に上昇している。米国単独では、成人女性の１／３以上は現在太りすぎであるとみなされている（ＢＭＩ＞３０）。これは、過去３０年にわたって著しく変化しており、１９８０年に、米国の成人女性のわずか約１６％が太りすぎだった。より大きな女性は、より小さい女性より身体の人体測定の異なる比率を示しており、すなわち、すべての身体寸法は、女性がより大きくなることで単純にスケールアップをするというわけではない。加えて、ＢＭＩの範囲にわたる女性は、非常に異なる体形を有することもできる。現在の成人用吸収性物品の製造業者による、本問題の認識かつ理解不足があり、したがって消費者のニーズは適切に満たされていない。したがって、身体と成人用吸収性物品との間の適合性及び接触の改良したレベルを提供して、漏出の発生を減らして、物品の全体の適合性、快適さ、被覆及び行動の自由を改善するために、多種多様な体形及びサイズのための成人用吸収性物品を開発する必要がある。着用者のＢＭＩ及び体形に基づいて種々の着用者のために設計される、成人用吸収性物品についての明らかな必要性がある。わかりやすい方法で（例えば、一部の女性は、ＢＭＩが何か理解することができない又は自分のＢＭＩ数を知ることができない）、不快を感じさせずに（例えば、女性のＢＭＩに基づいて女性を非難したり又は当惑させたりせずに）前記カスタマイズされた成人用吸収性物品の利点を着用者に伝える必要性もある。
【０００９】
これらは本開示の全目的であり、本開示の実施形態は、記載されている種々の目的を結合することができる。特定のある実施形態は、記載されているようにすべての目的を具現化し得るが、ただしそうである必要はない。
【課題を解決するための手段】
【００１０】
一実施形態において、パッケージの群は、２つ以上の異なるサイズの使い捨て吸収性物品を含んでよい。群は、第１及び第２の使い捨て吸収性物品を含む、第１及び第２のパッケージを含んでよい。第１及び第２の使い捨て吸収性物品のそれぞれは、トップシート、バックシート、吸収性コア及び一対のサイドシームを含むことができる。第１の吸収性物品は第１のサイズであることができ、かつ閉鎖形態であり得る。第２の吸収性物品は第２のサイズであることができ、かつ閉鎖形態であり得る。第２の吸収性物品は、（ａ）第１の吸収性物品より大きい弛緩した製品側面長さ（３０３）と、（ｂ）第１の吸収性物品より大きい弛緩した製品臀部幅（３０１）と、のうちの１つ以上を有することができる。第２の吸収性物品の側面輪郭に対する製品臀部の比は、第１の吸収性物品の側面輪郭に対する製品臀部の比以上であってもよい。また、第１及び第２のパッケージは、同一のブランド名及びサブブランド名を含むことができる。
【００１１】
別の実施形態では、パッケージの群は、使い捨て吸収性物品の２つ以上の異なるサイズを含んでよい。群は、第１及び第２の使い捨て吸収性物品を含む、第１及び第２のパッケージを含んでよい。第１及び第２の使い捨て吸収性物品のそれぞれは、トップシート、バックシート、吸収性コア及び一対のサイドシームを含むことができる。第１の吸収性物品は第１のサイズであることができ、かつ閉鎖形態であり得る。第２の吸収性物品は、第１のサイズとは異なる第２のサイズであることができ、かつ閉鎖形態でもあり得る。第１及び第２のパッケージの、側面輪郭に対する製品臀部の比の平均は、約２．２〜約６．０であってもよい。また、第１及び第２のパッケージは、同一のブランド名及びサブブランド名を含むことができる。
【００１２】
別の実施形態では、成人失禁用使い捨て吸収性物品は、２．３〜約６．０の側面輪郭に対する製品臀部の比を有し得る。更に、成人失禁用使い捨て吸収性物品は、閉鎖形態であり得る。
【００１３】
第４の実施形態において、パッケージのオンライン群は、２つ以上の異なるサイズの使い捨て吸収性物品を含んでよい。群は、第１及び第２の使い捨て吸収性物品を含む、第１及び第２のパッケージを含んでよい。第１及び第２の使い捨て吸収性物品のそれぞれは、トップシート、バックシート、吸収性コア及び一対のサイドシームを含むことができる。第１の吸収性物品は第１のサイズであることができ、かつ閉鎖形態であり得る。第２の吸収性物品は第２のサイズであることができ、かつ閉鎖形態であり得る。第２の吸収性物品は、（ａ）第１の吸収性物品より大きい弛緩した製品側面長さ（３０３）と、（ｂ）第１の吸収性物品より大きい弛緩した製品臀部幅（３０１）と、のうちの１つ以上を有することができる。第２の吸収性物品の側面輪郭に対する製品臀部の比は、第１の吸収性物品の側面輪郭に対する製品臀部の比以上であってもよい。また、第１及び第２のパッケージは、同一のブランド名及びサブブランド名を含むことができる。
【図面の簡単な説明】
【００１４】
【図１】女性の体形に対する、臀部周囲及び側面長さを示す。
【図２】腰部周囲が増加するにつれて、側面長さに対する臀部周囲の比の平均比がどのように変化するかを示すグラフある。
【図３】女性の体形に対する、臀部幅及び側面長さを示す。
【図４】ＢＭＩが増加するにつれて、側面長さに対する胴体臀部の比の平均がどのように変化するかを示すグラフある。
【図５】腰部周囲が増加するにつれて、側面輪郭に対する胴体臀部の比の平均がどのように変化するかを示すグラフある。
【図６】広げて、弛緩して及び畳まれていない状態のＡＩパンツ型製品を示す。
【図７】ＢＭＩが増加するにつれて、一般の女性の体形がどのように変化するかについてを示す。
【図８】各ＢＭＩクラス内の女性の体形の可変性を示す。
【図９】既存の製品群の例、及び、その側面輪郭に対する製品臀部の比を、各製品が適合の目標としている消費者の腰部周囲の、側面輪郭に対する胴体臀部の比と比較した方法を示すグラフである。
【図１０】本発明の製品群の例、及び、その側面輪郭に対する製品臀部の比を、各製品が適合の目標としている消費者の腰部周囲の、側面輪郭に対する胴体臀部の比と比較した方法を示すグラフである。
【図１１】本発明の製品群の例、及び、その側面輪郭に対する製品臀部の比を、各製品が適合の目標としている消費者のＢＭＩの、側面輪郭に対する胴体臀部の比と比較した方法を示すグラフである。
【図１２】前側及び後側腰部領域の連続的なベルトを備える、パンツ型おむつの平面図である。
【図１３】おむつの着用者に面する内部が観察者に向いている、一対のフラップを備えるパンツ型おむつの部分的に切り取った平面図である。
【図１４】おむつの衣類に面する外面が観察者に向いている、前後のフラップを備えるパンツ型おむつの部分的に切り取った平面図である。
【図１５】ベルトが腰部領域に対向して連結する、図１２に示されるパンツ型おむつの斜視図である。
【図１６】フラップが腰部領域に対向して連結する、図１３に示されるパンツ型おむつの斜視図である。
【図１７】フラップに連結するサイドシームと対向する腰部領域とを有する、図１４に示されるパンツ型おむつの斜視図である。
【図１８】本発明の一実施形態に好適な折り畳まれた外側レッグカフの例示の図１３の線１８−１８に沿って切断された、概略断面図である。
【図１９】図１２の線１９−１９に沿って切断された、本発明の一実施形態に好適な後側ベルト状フラップの概略断面図である。
【図２０】試料ホルダー装置のバーＣ（３０４）及びバーＯ（３０５）を示す。
【図２１】平坦な、折り畳まれていないパンツを示す。
【図２２】試験装置のパンツを示す。
【発明を実施するための形態】
【００１５】
「プルオン衣類」又は「パンツ」とは、画定された腰部開口部と脚部開口部とを有する着用物品であって、脚部開口部の中に脚を挿入して腰部上まで前記物品を引っ張り上げることによって着用者の腰上へと引っ張られる着用物品のことをいう。
【００１６】
「使い捨て」という用語は、洗濯、又は別の方法で衣類として復元若しくは再利用することを目的としない衣類（すなわち、それらは１回使用後に廃棄されることを目的とし、リサイクルされる、堆肥化される又は環境に適した方式で処理されることを目的とする）を記述するために使用される。プルオン衣類は、身体から排出された様々な排泄物を吸収して収容するように「吸収性」であり得る。
【００１７】
「閉鎖形態」とは、対向する腰部領域が接合されて、連続する腰部開口部及び脚部開口部を形成することを意味する。図１５〜図１７を参照されたい。
【００１８】
「群」という用語は、類似の物品構造（例えば、フラップ、図形要素において［組成的に及び／又は構造的に］同じエラストマー材料）を有する異なるサイズの使い捨て物品を含むパッケージの展示品を意味し、前記パッケージは同じブランド及び／又はサブブランドを有しており、前記パッケージは小売店の所定の領域内で互いに近位に配置されている。群は、顧客に、通常、異なる個々のパッケージがより大規模ラインナップの一部分であることを伝える類似のパッケージ要素（例えば、材料種類、フィルム、紙、主要色、設計主題など）を有する製品ラインナップとして市販されている。群は、大抵同じブランドを有し、例えば、「Ｄｅｐｅｎｄ」は、同じ下位ブランドの、例えば、「ｆｏｒ  Ｗｏｍｅｎ  Ｕｎｄｅｒｗｅａｒ」を有する。異なる群は、「Ｄｅｐｅｎｄ」ブランド及び下位ブランドの「Ｓｉｌｈｏｕｅｔｔｅ  Ｆｏｒ  Ｗｏｍｅｎ」を有し得る。この「ｆｏｒ  Ｗｏｍｅｎ  Ｕｎｄｅｒｗｅａｒ」群及び「Ｓｉｌｈｏｕｅｔｔｅ  Ｆｏｒ  Ｗｏｍｅｎ」群の違いは、側部折り込み部に異なるエラストマー材を含むことであり、「ｆｏｒ  Ｗｏｍｅｎ  Ｕｎｄｅｒｗｅａｒ」は、エラストマー材としてストランドを含み、「Ｓｉｌｈｏｕｅｔｔｅ  Ｆｏｒ  Ｗｏｍｅｎ」は、フィルム状エラストマー材を含む。更に、「ｆｏｒ  Ｗｏｍｅｎ  Ｕｎｄｅｒｗｅａｒ」は、濃い緑系フィルムバッグに、「Ｓｉｌｈｏｕｅｔｔｅ  Ｆｏｒ  Ｗｏｍｅｎ」は、濃いえび茶色の箱に包装されている点で、パッケージは明らかに異なる。
【００１９】
更に「群」に関して、同じブランド「Ｃｅｒｔａｉｎｔｙ」を有する２つの別個の「群」の別の例として、１つのラインナップがサブブランド「Ｗｏｍｅｎ’ｓ  Ｕｎｄｅｒｗｅａｒ」を有する。別の群は、同じ「Ｃｅｒｔａｉｎｔｙ」ブランド及び下位ブランドの「Ｓｍｏｏｔｈ  Ｓｈａｐｅ  Ｂｒｉｅｆｓ  ｆｏｒ  Ｗｏｍｅｎ」を有し得る。この「Ｗｏｍｅｎ’ｓ  Ｕｎｄｅｒｗｅａｒ」群及び「Ｓｍｏｏｔｈ  Ｓｈａｐｅ  Ｂｒｉｅｆｓ  ｆｏｒ  Ｗｏｍｅｎ」群の違いは、側部折り込み部に異なるエラストマー材を含み、「Ｗｏｍｅｎ’ｓ  Ｕｎｄｅｒｗｅａｒ」は、エラストマー材としてストランドを含み、「Ｓｍｏｏｔｈ  Ｓｈａｐｅ  Ｂｒｉｅｆｓ  ｆｏｒ  Ｗｏｍｅｎ」は、フィルム状エラストマー材を含む。更に、「Ｗｏｍｅｎ’ｓ  Ｕｎｄｅｒｗｅａｒ」は、濃い青色のフィルムバッグに、「Ｓｍｏｏｔｈ  Ｓｈａｐｅ  Ｂｒｉｅｆｓ  ｆｏｒ  Ｗｏｍｅｎ」は、濃いえび茶色の箱に包装されている点で、パッケージは明らかに異なる。
【００２０】
群はまた、しばしば、ブランド、下位ブランド、並びに／あるいはラインナップにわたる形状及び／又は有益性の商標を含む同じの商標を有する。
【００２１】
「オンライン群」とは、共通のオンライン源によって流通される「群」を意味する。
【００２２】
「臀部周囲」とは、臀部の最大の後方部突出部の位置での、胴体の円周を意味する。図１を参照されたい。
【００２３】
「臀部幅」とは、臀部と胴体の前側との水平距離を意味し、臀部は、側面から見たときの臀部の最大の突出点と同じ位置で定義される。図３を参照されたい。
【００２４】
「側面長さ」とは、臍から臀部の位置までの垂直距離を意味し、臀部は、側面から見たときの臀部の最大の突出点で定義される。図３を参照されたい。
【００２５】
「側面長さの比に対する臀部周囲」とは、臀部周囲（ｍｍ）を側面長さ（ｍｍ）で割ることを意味する。図１を参照されたい。
【００２６】
「側面輪郭に対する胴体臀部の比」とは、臀部幅（ｍｍ）を側面長さ（ｍｍ）で割ることを意味する。図３を参照されたい。
【００２７】
「側面輪郭に対する製品臀部の比」とは、弛緩した製品臀部幅（３０１）（ｍｍ）を弛緩した製品側面長さ（３０３）（ｍｍ）で割ったものを意味する。図６を参照されたい。
【００２８】
「側面輪郭に対する製品臀部の比の平均」とは、製品群で提供される各サイズの側面輪郭に対する製品臀部の比の平均を意味する。例えば、Ｄｅｐｅｎｄ  Ｕｎｄｅｒｗｅａｒ  ｆｏｒ  Ｗｏｍｅｎ（Ｍａｘｉｍｕｍ  Ａｂｓｏｒｂｅｎｃｙ）は、小／中、大、及び特大の３つのサイズの群で市場で販売されている。側面輪郭に対する製品臀部の比の平均は、小／中サイズの側面輪郭に対する製品臀部の比、大サイズの側面輪郭に対する製品臀部の比、及び特大サイズの側面輪郭に対する製品臀部の比の平均である。表１は、いくつかの現在市販されている製品群における、側面輪郭に対する製品臀部の比の例を示す。
【００２９】
「弛緩した製品長さ」とは、股部領域の長手方向に最も遠位の点と前方腰縁部に沿った長手方向に最も遠位の点との間の、長手方向距離を意味する。長手方向距離は、製品の長手方向軸に平行に測定される。図６を参照。
【００３０】
「弛緩した製品臀部幅」とは、左脚開口部の上縁部での製品の左端の横方向に最も遠位の点から、右脚開口部の上縁部での製品の右端の横方向に最も遠位の点までの横方向距離を意味する。図６を参照。横方向距離は、製品の長手方向軸に垂直に測定される。
【００３１】
「弛緩した製品腰部幅」とは、前方腰縁部の右側の最も遠位の点から、前方腰縁部の左側の最も遠位の点までの横方向距離を意味する。横方向距離は、製品の長手方向軸に垂直に測定される。図６を参照。
【００３２】
「弛緩した製品側面長さ」とは、製品の腰部縁部と側縁部との間の交点から、製品の脚部開口部の上端と同じ側縁部との間の交点までの直線距離を意味する。弛緩した製品側面長さの測定値は、製品の左側及び右側の測定値の平均である。図６を参照。
【００３３】
「目標腰部範囲」とは、各製品のパッケージで定義される、腰部範囲を意味する。例えば、Ｄｅｐｅｎｄ  ｆｏｒ  Ｗｏｍｅｎ  Ｍｏｄｅｒａｔｅ  Ａｂｓｏｒｂｅｎｃｙ  Ｓ／Ｍパッケージは、７１〜１０２ｃｍ（２８〜４０インチ）のウエストを示す。
【００３４】
「平均目標腰部」とは、目標腰部範囲の平均を意味する。例えば、Ｄｅｐｅｎｄ  ｆｏｒ  Ｗｏｍｅｎ  Ｍｏｄｅｒａｔｅ  Ａｂｓｏｒｂｅｎｃｙ  Ｓ／Ｍは、７１〜１０２ｃｍの目標腰部範囲（そのパッケージに定義されるように）を有する。本製品の平均目標腰部は、８６．５ｃｍである。
【００３５】
尿失禁である消費者は、多くの場合その状態によるトラウマを抱えている。状態の多くの態様が、公然と失禁事象をする恐れなどのトラウマの一因となる。吸収性物品を着用しているときでも、漏れる心配及び女性の衣服の下で目立つ吸収性物品の心配がまだある。したがって、全ＢＭＩ範囲にわたる、より下着様で薄くかつ身体に適合する構造を提供することによって、状態を正常に戻すのを助ける製品経験を提供することは、本開示の目的の１つである。
【００３６】
肥満指数（ＢＭＩ）は、身長及び体重に基づく体形に関する分類である。ＢＭＩは以下のように計算されることができる。
ＢＭＩ＝体重（ｋｇ））／身長（ｍ）２＝７０３＊体重（ｌｂ）／身長（インチ）２
【００３７】
ＢＭＩは異なるクラスの体重を含み、それは、低体重（ＢＭＩ＜２０）、標準体重（ＢＭＩ  ２０〜２５）、体重過多（ＢＭＩ  ２５〜３０）、肥満（ＢＭＩ  ３０〜４０）、病的な肥満（ＢＭＩ＞４０）を含む。
【００３８】
図７は、ＢＭＩが増加するにつれて、一般の女性の体形がどのように変化するかを示す。図８は、各ＢＭＩクラス内で存在し得る様々の具体的な形状、長方形（円筒状としても既知）、砂時計、洋梨及びリンゴを示す。女性のＢＭＩが高くなれば、この体形スケール上の女性は通常、更に右（リンゴの方へ）に進む。これらの形状の有病率は、ＢＭＩ範囲内で異なっており、例えば、より高いＢＭＩを有する女性は、リンゴ又は洋梨形状になる可能性が高い。女性固有の体形又はサイズに最も合う物品と着用者を適合させるために、正確なＢＭＩ値（消費者を当惑させるかもしれない）に焦点を合わせる代わりに、成人用吸収性物品はリンゴなど特定の体形の女性に対して販売されてもよい。
【００３９】
ＢＭＩが高くなるにつれて、女性の体形が変化する１つの領域が、側面輪郭に対する胴体臀部の比にある。側面輪郭に対する胴体臀部の比は、より大きな女性では、平均でより大きくなる。ＢＭＩ及び腰部周囲の両方がより大きくなるにつれて、側面輪郭に対する胴体臀部の比がどのように変化するかを、図４及び図５が示す。
【００４０】
良好なフィット感、適合性、漏れ防止を備えた製品を得るために、目標とする消費者の側面輪郭に対する胴体臀部の比と、側面輪郭に対する製品臀部の比とを連係させることが望ましい場合がある。このことは、漏れを減らす一方で、各消費者の着用する快適さを増加させることができる。そのうえ、各次のより大きなサイズの側面輪郭に対する製品臀部の比が各次のより大きなサイズの側面輪郭に対する胴体臀部の比と同じ一般的傾向に従う、製品群は、良好なフィット感、適合性を備える物品を、それぞれのＢＭＩを問わず、各消費者に提供することもできる。
【００４１】
今日のＡＩ製品群は消費者のＢＭＩを目標にしておらず、それは消費者の腰部周囲を目標にしている。表１は、いくつかの今日販売されている製品群（「比較例群」又は「既存の製品群」）を示す。図９は、これらの群の側面輪郭に対する製品臀部の比を、消費者の側面輪郭に対する胴体臀部の比と比較した方法を示すグラフである。これらの比較例群について、その側面輪郭に対する製品臀部の比が目標消費者のそれに適合するのに失敗しているだけではなく、既存の製品群のサイズ展開の傾向は、側面輪郭に対する製品臀部の比が消費者の側面輪郭に対する胴体臀部の比より大きいというよりむしろ小さくなるということもわかるだろう。この不一致の結果は、同じＢＭＩ範囲にわたる人体計測測定に従って設計された製品よりも、製品が、ＢＭＩ範囲の多くにわたって適合性、快適さ、被覆及び漏れ防止の下方のレベルを提供しているということである。
【００４２】
【表１】
0006651503.tif 000002
【００４３】
２つ、３つ及び４つパッケージのいくつかの発明の群を、下記の表２は示しており、その側面輪郭に対する製品臀部の比は、適合性を目標としている消費者の傾向に整合しており、それによって漏れの可能性を低減する一方で、良好な適合性＆快適さを提供する。これらの発明の群は、単に非限定例として提供される。他の発明の群も、本開示の範囲内であり得る。これらの本発明の群が、図１０及び図１１に示されている。
【００４４】
【表２】
0006651503.tif 000003
【００４５】
吸収性物品
本開示の吸収性物品は一般的に、尿、経血、糞便又は他の膣の排泄物などの身体の滲出物を管理するように設計され、かつ構成される。
【００４６】
一実施形態において、吸収性物品は、トップシート、バックシート及びトップシートとバックシートとの間に少なくとも一部が配置される吸収性コアを含むシャーシを含み得る。吸収性シャーシはウエストバンド、レッグカフ及び／又は弾性ストランドを含み得る。様々な実施形態において、図１２を参照すると、例示の吸収性物品１０が、締結要素５３ａ及び５３ｂに結合される前の、その平坦な非収縮状態で示される。
【００４７】
一実施形態において、図１２を参照すると、吸収性物品１０の一方の端部が前側腰部領域３６として構成されてもよく、長手方向に対向する端部は後側腰部領域３８として構成され得る。前側腰部区域３６と後側腰部区域３８との間で長手方向に延びる吸収性物品１０の中間的な部分は、股部区域３７として構成され得る。一実施形態において、そのようなものとして例示されていないが、前側腰部区域３６、後側腰部区域３８及び股部区域３７のそれぞれの長さは、例えば、吸収性物品１０の長さの約１／３であり得る。他の実施形態において、前側腰部区域３６、後側腰部区域３８、及び股部区域３７のそれぞれの長さは、他の寸法を有し得る。様々な実施形態において、吸収性物品１０は、前側腰部区域３６で横方向に延びる前側腰部端縁部１３６、及び長手方向に対向し、後側腰部区域３８で横方向に延びる後側腰部端縁部１３８を有し得る。
【００４８】
一実施形態において、図１２を参照すると、吸収性物品１０のシャーシ１００は、第１の長手方向に延びる側縁部１３７ａ、及び、横方向に対向しかつ第２の長手方向に延びる側縁部１３７ｂを含み得る。側縁部１３７は、前側腰部端縁部１３６と後側腰部端縁部１３８との間で長手方向に延びることがある。シャーシ１００は、前側腰部区域３６内で横方向に延びる前側腰部端縁部１３６の一部と、長手方向に対向し、後側腰部区域３８内で横方向に延びる後側腰部端縁部１３８の一部とを形成し得る。更に、シャーシ１００は、内面１０２、外面１０４、長手方向軸４２、及び横方向軸４４を含み得る。長手方向軸４２は、前側腰部端縁部１３６の中点を通じ、かつ後側腰部端縁部１３８の中点を通じて延びてもよく、一方で横方向軸４４は、第１側縁部１３７ａの中点を通じ、かつ第２側縁部１３７ｂの中点を通じて延びてもよい。
【００４９】
様々な実施形態において、全体的な吸収性物品１０の一部又は全部が、横方向に延伸性であるようにされてもよい。吸収性物品１０の延伸性は、着用者の運動中に、吸収性物品１０が着用者の身体にぴったりと一致することを可能にするために、望ましいことがある。異なる大きさの着用者に追加的な身体適用範囲を提供するため、すなわち、吸収性物品１０を個別の着用者に調節するために、介護者が前側腰部区域３６、後側腰部区域３８、股部区域３７、及び／又はシャーシ１００を延ばすことを可能にするために、延伸性は望ましい場合がある。このような延伸は、股部区域３７が腰部区域３６及び／又は３８よりも比較的低い度合いで延伸される限りにおいて、ほぼ砂時計型の形状を有する吸収性物品１０を提供し得る。この延伸はまた、使用中に吸収性物品１０に調整された外観を付与し得る。
【００５０】
吸収性物品の任意の部分又はすべての部分は、２０１４年１月２４日出願の米国特許第６１／９３１，２２９号、表題「ＤＩＳＰＯＳＡＢＬＥ  ＡＢＳＯＲＢＥＮＴ  ＡＲＴＩＣＬＥＳ  ＣＯＭＰＲＩＳＩＮＧ  ＢＡＣＴＥＲＩＯＰＨＡＧＥＳ  ＡＮＤ  ＲＥＬＡＴＥＤ  ＭＥＴＨＯＤＳ」に記載のとおり、バクテリオファージ組成物を含んでよい。
【００５１】
トップシート
一実施形態において、再び図１２及び図１９を参照すると、吸収性物品１０はトップシート８１を含み得る。トップシート８１は、柔軟であり、柔らかな感触であり、着用者の皮膚に刺激を与えないものであってもよく、かつ１つ以上の方向において、弾性的に伸縮性であってもよい。更に、トップシート８１は液体透過性であってよく、その厚さを通して液体（例えば、経血、尿及び／又は液状の糞便）を貫通させてもよい。様々なトップシートがまた、例えば、親水性材料を含んでもよく、これは体液を、これらが身体から排出される際にシャーシ１００の吸収性コア内に引くように構成される。好適なトップシート８１は、広範な材料、例えば、織布及び不織布材料、有孔若しくはハイドロフォーミングされた熱可塑性フィルム、有孔不織布、多孔質フォーム、網目状フォーム、網目状熱可塑性フィルム、及び／又は熱可塑性スクリムから製造され得る。好適な有孔フィルムは、米国特許第３，９２９，１３５号、同第４，３２４，２４６号、同４，３４２，３１４号、同第４，４６３，０４５号、同第５，００６，３９４号、同第５，６２８，０９７号、同第５，９１６，６６１号、同第６，５４５，１９７号、及び同第６，１０７，５３９号に記載されるものを含むことができる。
【００５２】
有孔フィルム又は不織布トップシートは通常、身体滲出物に対して透過性であり得るが、非吸収性であることができ、流体が逆戻りして着用者の皮膚を再湿潤させる傾向を低減させることができる。好適な織布及び不織布材料は、天然繊維、例えば、木質繊維若しくは綿繊維、合成繊維、例えば、ポリエステル、ポリプロピレン若しくはポリエチレン繊維、又はこれらの組み合わせを含み得る。トップシート８１が繊維を含む場合、当該技術分野において一般的に既知であるとおり、繊維は例えば、スパンボンド、カード、ウェットレイド、メルトブローン、水流交絡、ないしは別の方法で処理されてもよい。
【００５３】
トップシートは、スキンケアローションを含んでいてもよい。好適なローションの例としては、米国特許第５，６０７，７６０号、同第５，６０９，５８７号、同第５，６３５，１９１号、同第５，６４３，５８８号及び同第５，９６８，０２５号に記載されるもの、並びに米国特許出願第６１／３９１，３５３号に記載されているものが挙げられるが、これらに限定されない。
【００５４】
一実施形態において、トップシートは図画を含むことができ（例えば、図１５の１１６）、その結果、奥行き認知が米国特許第７，１６３，５２８号に記載のとおり作成される。
【００５５】
バックシート
一実施形態において、図１８及び図１９を参照し、例えば、吸収性物品１０は、バックシート８３を含み得る。バックシート８３は、液体又は身体滲出物（例えば、経血、尿及び／又は液状の糞便）に対して不透過性、又は少なくとも部分的に不透過性であってもよく、かつ薄いプラスチックフィルムから製造されてもよいが、他の可撓性の液体不透過性材料もまた使用され得る。バックシート８３は、吸収性物品１０の吸収性コアに吸収及び収容される身体滲出物又は流体が、ベッドシート、パジャマ、衣類及び／又は下着など吸収性物品１０に接触する物品を濡らすことを防ぐ。バックシート８３は、織布若しくは不織布材料、ポリマーフィルム、例えば、ポリエチレン若しくはポリプロピレンの熱可塑性フィルムなどのポリマーフィルム、並びに／又はフィルム及び不織布材料を含む多層若しくは複合材料（例えば、内側フィルム層及び外側不織布層を有する）を含んでもよい。好適なバックシートは、約０．０１２ｍｍ（０．５ｍｉｌ）〜約０．０５１ｍｍ（２．０ｍｉｌ）の厚さを有するポリエチレンフィルムであり得る。ポリエチレンフィルムの例としては、Ｃｉｎｃｉｎｎａｔｉ，Ｏｈｉｏ所在のＣｌｏｐａｙ  ＣｏｒｐｏｒａｔｉｏｎによってＢＲ−１２０及びＢＲ−１２１の製品名にて、及びＴｅｒｒｅ  Ｈａｕｔｅ，Ｉｎｄ所在のＴｒｅｄｅｇａｒ  Ｆｉｌｍ  ＰｒｏｄｕｃｔｓによってＸＰ−３９３８５の製品名にて製造されるものがある。
【００５６】
バックシートとして好適な材料は、約０．０１２ｍｍ（０．５ｍｉｌ）〜約０．０５１ｍｍ（２．０ｍｉｌ）の厚さを有し、例えばポリエチレン又はポリプロピレンを含む液体不透過性熱可塑性フィルムである。通常、バックシートは、約５ｇ／ｍ２〜約３５ｇ／ｍ２の坪量を有することができる。バックシートは通常、吸収性コアの外側表面に隣接して配置され、そこへ接合されることが可能である。例えばバックシートは、接着剤の均一な連続層、接着剤のパターン層、又は接着剤の個別の線、螺旋、若しくは点の群によって、吸収性コアに固着されてもよい。例示的な接着剤としては、Ｈ．Ｂ．Ｆｕｌｌｅｒ  Ｃｏｍｐａｎｙ（Ｓｔ．Ｐａｕｌ、Ｍｉｎｎ．、Ｕ．Ｓ．Ａ．）によって製造され、ＨＬ−１３５８Ｊとして市販される接着剤が挙げられるが、これに限定されない。接着剤のフィラメントの開放パターン網状組織を含む好適な取り付け装置の例が、米国特許第４，５７３，９８６号に開示されている。螺旋模様に渦を巻く接着剤フィラメントのいくつかの線を含む、別の好適な取り付け装置が、米国特許第３，９１１，１７３号、第４，７８５，９９６号、及び第４，８４２，６６６号に示される装置及び方法により説明される。あるいは取り付け装置は、熱結合、圧力結合、超音波結合、動的機械的結合、若しくは他の任意の好適な取り付け装置、又はこれらの取り付け装置の組み合わせを含み得る。
【００５７】
一実施形態において、バックシート８３は、より布様の外観を提供するために、エンボス加工及び／又はつや消し仕上げされてもよい。更に、バックシート８３は、吸収性物品１０の吸収性コアから蒸気を逃す（すなわち、バックシート８３は通気性である）一方で、依然として流体又は身体滲出物がバックシート８３を通過することを防ぐか、又は少なくとも阻止する。一実施形態において、バックシート８３のサイズは、例えば、吸収性物品１０のサイズによって、及び形成される吸収性物品１０の設計又は構成によって決定され得る。
【００５８】
吸収性コア
様々な実施形態において、図１８及び図１９を参照すると、吸収性物品１０は、トップシート８１とバックシート８３との間に配置される吸収性コア２００（「吸収性部材」又は「吸収性アセンブリ」又は「吸収性構造体」又は「吸収性複合体」とも称される）を含み得る。吸収性コア２００は、前側腰部領域３６において横方向に延びる前縁部２３６、長手方向に対向し後側腰部領域３８において横方向に延びる後縁部２３８、第１の長手方向に延びる側縁部２３７ａ、及び横方向に対向し、第２の長手方向に延びる側縁部２３７ｂを含み得る。側縁部２３７の両方は、前縁部２３６と後縁部２３８との間で長手方向に延び得る。一実施形態において、例えば、２つ以上の吸収性コア２００、又は２つ以上の吸収性コア層が、吸収性物品１０に提供され得る。吸収性コア２００は、吸収性物品１０と適合可能な任意の好適な大きさ又は形状であり得る。広く受け入れられ、かつ商業的に成功した、本開示の吸収性コア２００として使用される代表的な吸収性構造体が、米国特許第４，６１０，６７８号、同第４，６７３，４０２号、同第４，８８８，２３１号及び同第４，８３４，７３５号に記載されている。
【００５９】
一実施形態において、好適な吸収性コアは、セルロース系エアフェルト材料を含み得る。例えば、このような吸収性コアは、約４０重量％、３０重量％、２０重量％、１０重量％、５重量％又は更に１重量％未満のセルロース系エアフェルト材料を含み得る。追加的に、このような吸収性コアは主に、少なくとも６０重量％、７０重量％、８０重量％、８５重量％、９０重量％、９５重量％又は更に約１００重量％の量の吸収性ゲル化材料を含み得る。更に、吸収性コアの一部が、マイクロ繊維接着剤を含み得る（適用可能である場合）。この種の吸収性コア、マイクロファイバ接着剤及び吸収性ゲル化材料は、米国特許第５，５９９，３３５号、同第５，５６２，６４６号、同第５，６６９，８９４号、同第６，７９０，７９８号及び同第７，５２１，５８７号、並びに米国特許公開第２００４／０１５８２１２号に記載されている。
【００６０】
一実施形態において、コアは、コアシステムを形成する複数層を含んでおり、米国特許第８，５３６，４０１号に記載のとおり、印刷及びエンボス加工されることができる。
【００６１】
一実施形態において、コアは、米国特許第６，９８９，００６号、同第７，３８１，２０２号、同第７，１７５，６１３号、同第７，８２４，３８６号、同第７，７６６，８８７号、及び同第６，９８９，００５号に開示されているように、シャーシと分離可能でもよい。このような実施形態では、本開示中に記載された測定値は、シャーシ単独でなされることができる、又は分離可能なコア／吸収性アセンブリと組み合わせて、シャーシでなされることができる。
【００６２】
一実施形態において、本開示の吸収性物品、及び特に吸収部材が配置される部分は、米国特許第６，６４９，８１０号に従って３ｇ／秒より速い体液吸収速度を有することができる。米国特許第６，６４９，８１０号によれば、「吸収部材が配置される（吸収性物品の）部分」という表現は、吸収性物品が平坦に折り畳まれずかつ平面で見られるとき、吸収部材によって占められる部分を意味することを目的とする。
【００６３】
一実施形態において、吸収性構造体には、米国特許第７，０７３，３７３号に従い、３より大きい吸収因子を有することができ、前記吸収因子とは、吸収性コア透過性を、正規化保持容量（保持容量試験により定義される−米国特許第７，０７３，３７３号による）で割ったもの、と定義される。
【００６４】
一実施形態において、吸収性複合体は、米国特許第６，６４９，８１０号によれば、７５ｇ／１００ｃｍ２より大きい体液吸収を有する。
【００６５】
一実施形態において、吸収性物品の目標位置は、米国特許第６，３８３，９６０号によれば、３６％より大きいウイッキング値を有することができる。
【００６６】
一実施形態において、吸収性物品は、米国特許第５，８１０，７９６号によれば、０．５〜９．８ｍＮ（０．０５〜１．０ｇｆ）の間の曲げ剛性を有することができる。
【００６７】
一実施形態において、吸収性物品は、米国特許第６，６４９，８１０号によれば、３ｇ／秒より速い股部流体吸収速度を有することができる。一実施形態において、吸収性複合体の凍結乾燥された複合体は、米国特許第６，６８９，９３４号によれば、８０％の複合体飽和状態で、液体の少なくとも約１．９立方センチメートル（ｃｃ）／秒の吸収速度を有することができる。
【００６８】
レッグカフ
一実施形態において、図１３及び図１４を参照し、吸収性物品１０のシャーシ１００は、長手方向に延び、横方向に対向するレッグカフ１４７ａ及び１４７ｂを含んでもよく、これらは、着用者の方へと内側に向かい、着用者と接触するシャーシ１００の内面上に配置される。レッグカフ１４７ａ及び１４７ｂは、レッグカフ１４７の一方又は両方の近位縁部、又はこれに隣接するように配置される１つ以上の弾性ギャザー部材を含み得る。これ以外にも、レッグカフの弾性ギャザー部材はまた、レッグカフ１４７の一方又は両方の遠位縁部、又はこれに隣接するように配置される１つ以上の弾性ストランド１４６を含み得る。伸縮性レッグカフ１４７は、脚部区域における身体滲出物又は流体の漏れを低減するためのいくつかの実施形態を含み得る。伸縮性レッグカフ１４７は、場合により、レッグバンド、バリアカフ、弾性カフ又はガスケットカフと称される。好適な伸縮性レッグカフ１４７は、米国特許第３，８６０，００３号、同第４，９０９，８０３号、同第４，６９５，２７８号、同第４，７９５，４５４号、同第４，７０４，１１５号、及び同第４，９０９，８０３号、並びに米国特許出願公開第２００９／０３１２７３０号に記載されるものを含み得る。レッグカフ１４７は、シャーシ１００の一部を横方向に内側へ、すなわち、長手方向軸４２に向かって折り畳むことにより形成され、シャーシ１００のそれぞれのレッグカフ１４７及び側縁部１３７ａ及び１３７ｂを形成してよい。他の実施形態において、レッグカフ１４７は、追加的な層を、シャーシ１００に、シャーシ１００の各側縁部１３７ａ及び１３７ｂのそれぞれにおいて、又はこれらに隣接するようにして取り付けることによって形成され得る。一実施形態において、シャーシ１００はまた、側縁部１３７に隣接するように配置される他の弾性部材を含んでもよく、これは、弛緩させられ、それによって物品１０は、前側腰部領域３６の内面１０２を後側腰部領域３８の内面１０２の方に引っ張る際に、「Ｕ」字型の形状を形成する。
【００６９】
一実施形態において、各レッグカフ１４７は、近位縁部１５７ａ及び１５７ｂを含み得る。これらの縁部１５７ａ及び１５７ｂは、遠位縁部１３９ａ及び１３９ｂと比較して、長手方向軸４２の付近に位置付けられる。レッグカフ１４７は、吸収性コア２００と重複してもよく、すなわち、近位縁部１５７ａ及び１５７ｂは、吸収性コア２００の各側縁部２３７ａ及び２３７ｂの横方向内側に位置する。このような重なり合った構成は、重なり合わない形体で付与される外観よりも完成品に近い外観を吸収性物品１０に付与するために望ましいことがある。他の実施形態において、レッグカフ１４７は、吸収性コア２００と重複しない場合がある。
【００７０】
一実施形態において、各レッグカフ１４７は、前側腰部端縁部１３６に隣接するレッグカフ取り付けゾーン（図示されない）、及び長手方向に対向し、後側腰部端縁部１３８に隣接するレッグカフ取り付けゾーン（図示されない）において、シャーシ１００の内面１０２に取り付けられてもよい。一実施形態において、レッグカフ取り付けゾーンの間においては、レッグカフ１４７の近位縁部１５７は自由である（すなわち、シャーシ１００の内面１０２又は吸収性コア２００に取り付けられない）。また、長手方向に対向するレッグカフ取り付けゾーンの間において、各レッグカフ１４７は、１つ以上の（特に、レッグカフ１４７それぞれについて１つ、２つ、３つ又は４つの弾性ストランドを含む）長手方向に伸縮性カフ弾性ギャザー部材１５９を含んでもよく、これらは、任意の好適な方法により、レッグカフ１４７の近位縁部１５７に、又はこれと隣接するように配置され得る。このようなカフ弾性ギャザー部材１５９それぞれが、レッグカフの全長にわたって、又はレッグカフの長さの一部のみにわたって取り付けられてもよい。例えば、このようなカフ弾性ギャザー部材１５９は、レッグカフの長手方向に対向する端部において、又はその付近で取り付けられてもよく、かつレッグカフ長さの中央において取り付けられていなくてもよい。そのようなカフ弾性ギャザー部材１５９は、股部区域３７に配置されてもよく、また前側腰部区域３６及び後側腰部区域３８の一方又は両方の中まで延びてもよい。例えば弾性ギャザー部材１５９は、各レッグカフ１４７の近位縁部１５７で、又はこれに近接するように取り付けられてもよく、前側腰部領域３６及び後側腰部領域３８の両方まで延びる。
【００７１】
様々な実施形態において、各カフ弾性ギャザー部材１５９は、例えば、折り畳まれたヘムの内側に包囲される。様々な実施形態において、カフ弾性ギャザー部材１５９は、レッグカフ１４７を形成する２つの層の間に、シャーシ１００の２つの層によって挟持されてもよく、又はシャーシ１００、又はレッグカフ１４７の表面上に取り付けられて、露出されたままであってもよい。
【００７２】
一実施形態において、伸長されるとき、各レッグカフの近位縁部１５７に隣接するように配置されるカフ弾性ギャザー部材１５９は、レッグカフ近位縁部１５７が、シャーシ１００の平坦な非収縮長さ、例えばシャーシ１００の長さまで延びることを可能にする。弛緩させられるとき、カフ弾性ギャザー部材１５９は収縮して前側腰部領域３６及び後側腰部領域３８を互いに向かって引き、それによって物品１０を「Ｕ」字型に曲げ、ここで「Ｕ」字型の内側は、着用者の身体の方に配置されるように意図される物品１０の部分によって形成され得る（すなわち、内側表面１０２）。近位縁部１５７のそれぞれは、長手方向に配置されるレッグカフ取り付けゾーンの間において自由なままであるため、弾性ギャザー部材１５９の収縮力は、レッグカフ１４７の近位縁部１５７を、シャーシ１００の内側表面１０２から離すようにして持ち上げる場合がある。物品１０が弛緩状態にあるときのこの近位縁部１５７の上昇は、レッグカフ１４７を、身体滲出物の漏れを防ぐ、又は少なくとも阻止するように機能するために、適所に持ち上げる。
【００７３】
ウエストバンド
一実施形態において、図１４を参照すると、物品１０は、弾性腰部バンド１１２ａ及び１１２ｂを含んでよい。弾性腰部バンドは、改善されたフィット感及び収容性を提供してもよく、並びに、弾性的に横方向に伸縮して着用者の腰部に動的に適合するように構成されてもよい。弾性腰部バンドは、吸収性物品１０の腰縁部から、吸収性コア２００の腰縁部に向かって長手方向外側に延在する場合がある。一実施形態において、吸収性物品１０は、２つの弾性腰部バンドを有してもよく、一方が後側腰部領域３８内に位置付けられ、他方が前側腰部領域３６内に位置付けられるが、他のパンツ実施形態は、単一の弾性腰部バンドで構成され得る。弾性腰部バンドは、米国特許第４，５１５，５９５号及び同第５，１５１，０９２号に記載されるものを含む、多くの異なる形状で作製され得る。
【００７４】
一実施形態において、弾性腰部バンドは、「予歪みを付与された」又は「機械的に予歪みを付与された」（すなわち、材料を恒久的に伸長するため、ある程度の局部的パターンで機械的に伸長された）材料を含んでもよい。材料は、好適な深いエンボス加工技術を使用して予め歪ませてもよい。他の実施形態において、材料は、米国特許第５，３３０，４５８号に記載される漸増機械的伸長システムによって材料を方向付けることによって予め歪ませてもよい。材料は、その後、それらの実質的に張力がない状態まで戻されてもよく、したがって、少なくとも最初の伸張点まで延伸性がある、ゼロ歪みの伸張材料が形成される。ゼロ歪み材料の例が、米国特許第２，０７５，１８９号、同第３，０２５，１９９号、同第４，１０７，３６４号、同第４，２０９，５６３号、同第４，８３４，７４１号、及び同第５，１５１，０９２号に開示されている。
【００７５】
フラップ
フラップ１８９（ａ〜ｄ）は、シャーシとは別個であっても、又はシャーシ１００と一体化していてもよい。別個のフラップは、シャーシ１００に接合される分離要素として形成される。いくつかの実施形態では、これは、前側及び／又は後側腰部領域３６及び３８で、シャーシの側縁部１３７ａ及び１３７ｂに結合されている、例えば２つ又は４つの複数のフラップ（多くの場合に耳パネル又はサイドフラップと呼ばれる）を含む（図１２〜１７参照）。他の実施形態では、これは、シャーシ１００の前側及び後側腰部領域にわたって、少なくともシャーシ１３６及び１３８の端縁部にわたって、結合されている前側及び／又は後側ベルト状フラップ（「ベルト」）を含んでよい（図１２及び図１９参照）。いくつかの実施形態では、腰部バンド１１２は、連続的なベルト状構造を作成するために、フラップと重なり合うことができる（図１４参照）。
【００７６】
ベルト状フラップは、内側不織布層及び外側不織布層、並びにこれらの間に弾性体を含んでもよい。内側及び外側不織布層は、接着剤又は熱可塑性結合剤を使用して結合され得る。種々の好適なベルト状フラップ構造は、米国特許公開第２０１３−０２１１３６３号に見出すことができる。
【００７７】
一体化されたフラップは、長手方向縁部から横方向に外側に突出する、シャーシの一部、１つ以上の層である。一体化されたフラップは、シャーシを切断してフラップの突起部の形状を備えることによって形成されてもよい。
【００７８】
このベルト状フラップを有する適用例で説明した実施形態の多くはパンツ型物品であるが、テープ型物品も同様に一方又は両方の腰部領域に配置されたベルト状フラップを有することができる。
【００７９】
フラップの構造は、吸収性物品の機能で重要な役割を果たしており、下着で使用する弾性体とは基本的に異なる。上述のように、ＳＵＩ及びＵＵＩなどの失禁事象は、高流速及び／又は充満した膀胱の解放をもたらすことがあり得る。失禁事象中に放出される尿の量は、最後にトイレに行ってからの時間、液体摂取の量、日又は夜などの他の状況と同様に、所与の尿失禁の種類を大幅に変えることができる。負荷は、数滴の量と同じ少量から６００ｍｌと同じ大量の負荷の範囲であり得る。３００、４００及び５００ｍｌと同じ程度の１回の負荷を有することも珍しくない。負荷のこれらのレベルは、４ニュートン以上（１ポンド以上）であり得る負荷と関連する、大きな下方力を示す。この下方力は、垂み、弛み、及び漏れを最小化するために、吸収性物品のシャーシによって補完されなければならない。負荷後であっても物品の適合性を持続するために、物品は、物品のサイドシーム２８０ａ及び２８０ｂに近接しかつそれに沿って配置されて（例えば図１５を参照のこと。弾性要素１４６は、シーム２８０ａ及び２８０ｂの長さに近接しかつそれに沿って終端する）、一方から他方へ横方向に延在する（フィルム及び／又はストランドを含む）弾性要素（複数を含む）１４６を含む。これらの弾性要素（複数を含む）は、物品を固定するのに十分な、身体に対する垂直力を作成しなければならない。弾性要素（複数を含む）によりもたらされる力と同様に、弾性要素（複数を含む）の位置は、臀部でかつ胴体に沿って、特に前側腰部領域にわたってかつ後側腰部領域に、適切に固定することを確実にするために、変化することができる。負荷状態の物品の適合性を持続するために有益な固定の１形態が、ＬａＶｏｎらへの１９９４年１０月２５日出願の米国特許第５，３５８，５００号「Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ」に開示されている。３００〜６００グラムの重量が下着の股部領域に適用される場合、腰部縁部及び脚部縁部に沿って弾性体を備える通常の下着は通常、下着の適合性を持続するための十分なサポートを提供しないことにも留意すべきである。
【００８０】
締結システム
吸収性物品は、締結装置を含んでもよい。締結時、締結装置は、前側腰部領域３６と後側腰部領域３８を相互に接続し、吸収性物品１０の着用時に、着用者を取り囲むことができる腰部の外周となる。これは、後側腰部領域のフラップ１８９ａ及び１８９ｂが前側腰部領域のフラップ１８９ｃ及び１８９ｄと相互接続することにより、又は後側腰部領域のフラップが前側腰部領域のシャーシ１００と相互接続することにより、達成され得る。締結装置は、例えば、テープタブ、フック・ループ式締結要素、タブ＆スロットのような噛み合い式締結具、バックル、ボタン、スナップ及び／又は雌雄同体の締結要素などの締結具５３ａ及び５３ｂを含んでよいが、他の既知の任意の締結手段も一般に使用可能である。締結具は、ランディング領域１１８に取り外し可能に係合することができるが、ランディング領域は織布又は不織布でもよい。いくつかの代表的な表面締結装置が、米国特許番号第３，８４８，５９４号、同第４，６６２，８７５号、同第４，８４６，８１５号、同第４，８９４，０６０号、同第４，９４６，５２７号、同第５，１５１，０９２号及び同第５，２２１，２７４号に開示されている。例示的な噛み合い式締結装置は、米国特許第６，４３２，０９８号に開示されている。締結装置は、米国特許第４，９６３，１４０号に開示されるように、使い捨て形状の物品を保持する手段も提供し得る。締結装置には更に、米国特許第４，６９９，６２２号にて開示されているように、１次及び２次締結装置が含まれてもよい。締結装置は、重なり合っている部分のずれを低減する、又は密着性を向上するよう構成されてもよく、このことは、米国特許第５，２４２，４３６号、同５，４９９，９７８号、同５，５０７，７３６号、同５，５９１，１５２号に記載されている。
【００８１】
同一又は実質的に同一のシャーシ
米国特許公開第２０１３−０２１１３５５号に開示されるように、異なるサイズの着用者に適合するが、同一又は実質的に同一のシャーシを含むパッケージの群を提供することが望ましい場合がある。例えば群は、第１サイズの吸収性物品を含む第１パッケージを含んでもよく、第２パッケージは第２サイズの吸収性物品を含んでもよく、第１及び第２パッケージは、米国特許公開第２０１３−０２１１３５５号に記載される同一の又は実質的に同一のシャーシを含む。より具体的には、第１パッケージは第１シャーシを含んでもよく、第２パッケージは第２シャーシを含んでもよく、第１及び第２のシャーシのそれぞれが、横方向中心線でのコア幅、前側又は後側コア末端部の一方でのコア幅、左外側カフの遠位縁部から右外側カフの遠位縁部までの距離、左内側カフの遠位縁部から左外側カフの遠位縁部までの距離、左内側カフの近位縁部から右内側カフの近位縁部までの距離、左内側カフの近位縁部から左外側カフの遠位縁部までの距離、内側カフの自由高さ、内側カフのヘム折り畳み幅、内側カフの弾性長さ、外側カフの弾性長さ、コア長さ、及び、バックシート幅、のうちの１つ以上の同一の寸法を含む。
【００８２】
更に第１及び第２のシャーシのそれぞれが、トップシート、バックシートフィルム、バックシート不織布、コア超吸水性ポリマー、コアパルプ、コア不織布、コアティッシュ、レッグカフフィルム、レッグカフ不織布、超吸収性ポリマー用接着剤、コア不織布用接着剤、レッグカフ弾性体用接着剤、及び、バックシート不織布／フィルム用接着剤、のうちの１つ以上の同一の化学的組成物を含んでもよい。
【００８３】
更に第１及び第２のシャーシのそれぞれが、トップシート、バックシートフィルム、バックシート不織布、コア超吸水性ポリマー、コアパルプ、レッグカフ不織布、レッグカフフィルム、超吸水性ポリマー用接着剤、レッグカフ用接着剤、及び、バックシート不織布／フィルム用接着剤、のうちの１つ以上の同一の坪量を含んでもよい。
【００８４】
更に第１及び第２シャーシは、組成的に同一のコア超吸収性ポリマーを含んでもよい。第１及び第２シャーシは、前側腰部領域、後側腰部領域及び股部領域の少なくとも１つにおいて、同一の構成要素の断面の順番及び配置を有してもよい。第１及び第２シャーシの内側レッグカフは、組成的に同一の材料からなってもよい。
【００８５】
更に第１シャーシ及び第２シャーシのコア接着剤は、同じ接着剤（複数を含む）であってもよい。第１及び第２シャーシは、同じ化学的分類及びサブ分類内のコア超吸収性ポリマーを含んでもよい。
【００８６】
第１及び第２シャーシのそれぞれは、第１及び第２湿り度インジケータをそれぞれ含んでもよく、第１及び第２湿り度インジケータは組成的に同一である。
【００８７】
第１及び第２シャーシの内側レッグカフは、前側腰部領域、後側腰部領域及び股部領域のうちの少なくとも１つにおいて同一の構成要素の断面の順番及び配置を有してもよい。左外側カフの遠位縁部から右外側カフの遠位縁部までの距離が、同じであってもよい。左内側カフの近位縁部から左外側カフの遠位縁部までの距離が同じであってもよい。左内側カフの近位縁部から右内側カフの近位縁部までの距離は、同じである。内側及び外側カフの長さは、同じである。
【００８８】
いくつかの実施形態では、フラップ又はベルトが吸収性物品が異なるサイズの着用者に適合するのを可能にするために使用することができるように、群の異なるサイズの提供品は、同一又は実質的に同一のシャーシを有することができる。例えば、第１及び第２の吸収性物品は、同一のシャーシ（組成的に、寸法的に、断面方向に）を有することができるが、第１の物品はベルトの配置の理由から異なる長さを有することができ、その結果、第１の物品は第２の物品より小柄な着用者に適合するのを目標とすることができる。第２の例として、第１及び第２の吸収性物品は、同一のシャーシ（組成的に、寸法的に、断面方向に）を有することができるが、第１の物品はベルトのサイズの理由から異なる長さ及び／又は幅を有することができ、その結果、第１の物品は第２の物品より小柄な着用者に適合するのを目標とすることができる。
【００８９】
いくつかの実施形態では、第１及び第２の吸収性物品は、組成的に、だが寸法的にではなく、かつ断面方向にでもなく、同一のシャーシを有することができる。いくつかの実施形態では、第１及び第２の吸収性物品は、寸法的に、だが組成的にではなく、かつ断面方向にでもなく、同一のシャーシを有することができる。いくつかの実施形態では、第１及び第２の吸収性物品は、断面方向に、だが寸法的にではなく、かつ組成的にでもなく、同一のシャーシを有することができる。更に他の実施形態では、第１及び第２の吸収性物品は、（１）組成的に、（２）寸法的に、（３）断面方向に、のうちの２つであるが３つではない、同一のシャーシを有することができる。
【００９０】
試験方法
製品測定の準備
すべての測定は、２２℃＋／−２℃及び５０％ＲＨ＋／−２０％で行われた。
【００９１】
目的
本方法は、次の寸法測定用のパンツ型製品を作成するために使用される。本方法は、バッグから取り出された製品を開く、一貫した手段を提供する。本方法は、パンツ型製品のすべての形態に適用できる。コンピュータインタフェースを備える、延伸引張り試験機の定速が使われる。
【００９２】
荷重セル容量が０．１Ｎ以内の５Ｎ負荷の精度を確実にするように、荷重セルは選択される。
【００９３】
試料ホルダー装置
最も長いサイドシームの長さを超えて延在する、９．５０ｍｍのロッド半径を備える、「Ｃ」（３０４）バー及び「Ｏ」（３０５）バー留め具の各々。図２０を参照。バーは、同じ垂直面の長手方向軸を備え、かつ、下方のバーより上に直接取り付けられた上方バーを備える、引張り試験機に水平に取り付けられる。
【００９４】
装置の設定
計器製造者の指針に従って、引張り試験機を較正する。
【００９５】
バッグから１０つのサンプル製品を取り出して、パンツ型製品（３０７）を広げて、下記の図２１に示すように平らに置いて、示すように腰部（３０６）でパンツの両端の間の距離を測定することにより、初期ゲージ長が測定される。腰部測定値の平均が、試験片の特定セットについての初期ゲージ長として使われる。初期ゲージ長は、上方バーの最上方端から下方バーの最下方端までの距離である。
【００９６】
試験片の操作を最小化すると共に、図２２に示すようにバーに製品（３０７）全体を適用する。
【００９７】
５Ｎの力で試料を引っ張り、次に１０秒間保持する。初期ゲージ長に戻る。
【００９８】
クロスヘッド速度＝２５４．０ｍｍ／分、データ取得速度＝５０Ｈｚ。
【００９９】
サイクル＝１
【０１００】
操作を最小化すると共に、バーから試験片を取り除く。図６に示すように、前面を上向きにして試験片を平らに置く。
【０１０１】
全１０つの試験片について繰り返す。
【０１０２】
物理的測定
以下の各測定は１０つの別個の試験片で行われて、１０つの別個の試験片の平均が特定の試験片セットの測定値であるとみなされる。
【０１０３】
弛緩した製品長さ（３００）
「弛緩した製品長さ」とは、股部領域の長手方向に最も遠位の点と前方腰縁部に沿った長手方向に最も遠位の点との間の、長手方向距離である。長手方向距離は、製品の長手方向軸に平行に測定される。図６を参照。
【０１０４】
弛緩した製品臀部幅（３０１）
「弛緩した製品臀部幅」とは、左脚開口部の上縁部での製品の左端の横方向に最も遠位の点から、右脚開口部の上縁部での製品の右端の横方向に最も遠位の点までの横方向距離である。図６を参照。横方向距離は、製品の長手方向軸に垂直に測定される。
【０１０５】
弛緩した製品腰部幅（３０２）
「弛緩した製品腰部幅」とは、前方腰縁部の右側の最も遠位の点から、前方腰縁部の左側の最も遠位の点までの横方向距離である。横方向距離は、製品の長手方向軸に垂直に測定される。図６を参照。
【０１０６】
弛緩した製品側面長さ（３０３）
「弛緩した製品側面長さ」とは、製品の腰部縁部と側縁部との間の交点から、製品の脚部開口部の上端と同じ側縁部との間の交点までの直線距離である。弛緩した製品側面長さの測定値は、製品の左側及び右側の測定値の平均である。図６を参照。
【０１０７】
上記の各測定値は、＋／−１．０ｍｍ内まで記録される。
【図１】
0006651503.tif 000004
【図２】
0006651503.tif 000005
【図３】
0006651503.tif 000006
【図４】
0006651503.tif 000007
【図５】
0006651503.tif 000008
【図６】
0006651503.tif 000009
【図７】
0006651503.tif 000010
【図８】
0006651503.tif 000011
【図９】
0006651503.tif 000012
【図１０】
0006651503.tif 000013
【図１１】
0006651503.tif 000014
【図１２】
0006651503.tif 000015
【図１３】
0006651503.tif 000016
【図１４】
0006651503.tif 000017
【図１５】
0006651503.tif 000018
【図１６】
0006651503.tif 000019
【図１７】
0006651503.tif 000020
【図１８】
0006651503.tif 000021
【図１９】
0006651503.tif 000022
【図２０】
0006651503.tif 000023
【図２１】
0006651503.tif 000024
【図２２】
0006651503.tif 000025